【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
ベンチュリー構造を有するバルブハウジングを有する、エアゾル容器の内容物の吐出用バルブであって、該ベンチュリー構造の一部を遮蔽すべき位置設定の変更可能な遮蔽体を有することを特徴とする、エアゾル容器用のバルブ。
【請求項２】
噴口、該噴口に対して軸方向に穿設された軸方向孔、周溝、及び該周溝内に、軸方向孔に連通し、軸方向に対して横方向に穿設されたステムオリフィスを有するバルブステムと、
該バルブステムを前記噴口側に弾性的に付勢するスプリングを内装し、該バルブステムを軸方向に沿って摺動可能に案内し、更に軸方向に対して横部にベンチュリー構造を有するバルブハウジングと、
外周縁部が該バルブハウジングの前記噴口側の面に固定されかつ内周縁部が前記周溝内に嵌入して前記ステムオリフィスの開閉を制御する環状のステムラバーとを有し、
前記スプリングによって付勢されている前記バルブステムが、前記スプリングの付勢方向と反対方向に摺動した時に、前記ステムオリフィスが、前記軸方向孔と前記バルブハウジングの内部とを連通する、エアゾル容器用のバルブであって、
前記遮蔽体が、前記バルブハウジングの外周に配されることを特徴とする、請求項１に記載のバルブ。
【請求項３】
前記バルブハウジング及び前記遮蔽体の少なくとも一方が弾性を有する材料で作られたものであることを特徴とする、請求項１又は２に記載のバルブ。
【請求項４】
請求項１〜３の何れか一項に記載のバルブを装着することを特徴とするエアゾル容器であって、
容器内部に、吐出されるべき内容物が充填される空間部と、前記内容物を吐出するために加圧する圧縮ガスが充填されるべき空間部を有し、これらの空間部が移動可能な隔壁によって互いに分離されているエアゾル容器。
【請求項５】
請求項４に記載のエアゾル容器の、前記吐出されるべき内容物が充填される空間部に粘性流体、クリーム状組成物及びゲル状組成物から選ばれる内容物を気化成分とともに充填し、前記内容物を吐出するために加圧する圧縮ガスが充填されるべき空間部に内容物の吐出のための気化成分を充填してなるエアゾル化粧料。
【請求項６】
前記内容物の吐出のための気化成分の圧力が、前記内容物とともに充填される気化成分の圧力よりも高いことを特徴とする、請求項５に記載の化粧料。
【請求項７】
ポストフォーム化粧料であることを特徴とする、請求項５又は６に記載の化粧料。
【請求項８】
有効成分として、グリチルリチン酸、グリチルレチン酸、それらのエステル及びそれらの塩から選択される１種又は２種以上を、総量で、前記内容物に対し、０．０４〜０．４質量％含有する、抗炎症作用を訴求した医薬部外品であることを特徴とする、請求項７に記載の化粧料。
【請求項９】
抗炎症作用を有する旨と医薬部外品である旨とを表示してあることを特徴とする、請求項８に記載の化粧料。
【請求項１０】
ベンチュリー構造を有するバルブハウジングを有する、エアゾル容器の内容物の吐出用バルブにおいて、該ベンチュリー構造の一部を遮蔽することを特徴とする、前記内容物の吐出量の調製方法。
【請求項１１】
請求項１０に記載の調製方法のための、前記ベンチュリー構造の一部を遮蔽するための遮蔽体。
【請求項１２】
リング状の構造であることを特徴とする、請求項１１に記載の遮蔽体。
【手続補正２】
【補正対象書類名】明細書
【補正対象項目名】０００７
【補正方法】変更
【補正の内容】
【０００７】
この様な状況に鑑みて、本発明者らは、エアゾル化粧料に於いて、内容物の製造ロット毎に吐出特性を可変出来る技術を求めて、鋭意研究努力を重ねた結果、エアゾル容器のバルブハウジングのベンチュリー構造の一部を遮蔽することで、エアゾル化粧料の吐出特性を制御出来ることを見出し、発明を完成させるに至った。即ち、本発明は以下に示すとおりである。
（１）ベンチュリー構造を有するバルブハウジングを有する、エアゾル容器の内容物の吐出用バルブであって、該ベンチュリー構造の一部を遮蔽すべき位置設定の変更可能な遮蔽体を有することを特徴とする、エアゾル容器用のバルブ。
（２）噴口、該噴口に対して軸方向に穿設された軸方向孔、周溝、及び該周溝内に、軸方向孔に連通し、軸方向に対して横方向に穿設されたステムオリフィスを有するバルブステムと、
該バルブステムを前記噴口側に弾性的に付勢するスプリングを内装し、該バルブステムを軸方向に沿って摺動可能に案内し、更に軸方向に対して横部にベンチュリー構造を有するバルブハウジングと、
外周縁部が該バルブハウジングの前記噴口側の面に固定されかつ内周縁部が前記周溝内に嵌入して前記ステムオリフィスの開閉を制御する環状のステムラバーとを有し、
前記スプリングによって付勢されている前記バルブステムが、前記スプリングの付勢方向と反対方向に摺動した時に、前記ステムオリフィスが、前記軸方向孔と前記バルブハウジングの内部とを連通する、エアゾル容器用のバルブであって、
前記遮蔽体が、前記バルブハウジングの外周に配されることを特徴とする、（１）に記載のエアゾル容器用のバルブ。
（３）前記バルブハウジング及び前記遮蔽体の少なくとも一方が弾性を有する材料で作ら
れたものであることを特徴とする、（１）又は（２）に記載のバルブ。
（４）（１）〜（３）の何れか一に記載のバルブを装着することを特徴とするエアゾル容器であって、
容器内部に、吐出されるべき内容物が充填される空間部と、前記内容物を吐出するために加圧する圧縮ガスが充填されるべき空間部を有し、これらの空間部が移動可能な隔壁によって互いに分離されているエアゾル容器。
（５）（４）に記載のエアゾル容器の、前記吐出されるべき内容物が充填される空間部に粘性流体、クリーム状組成物及びゲル状組成物から選ばれる内容物を気化成分とともに充填し、前記内容物を吐出するために加圧する圧縮ガスが充填されるべき空間部に内容物の吐出のための気化成分を充填してなるエアゾル化粧料。
（６）前記内容物の吐出のための気化成分の圧力が、前記内容物とともに充填される気化成分の圧力よりも高いことを特徴とする、（５）に記載の化粧料。
（７）ポストフォーム化粧料であることを特徴とする、（５）又は（６）に記載の化粧料。
（８）有効成分として、グリチルリチン酸、グリチルレチン酸、それらのエステル及びそれらの塩から選択される１種又は２種以上を、総量で、前記内容物に対し、０．０４〜０．４質量％含有する、抗炎症作用を訴求した医薬部外品であることを特徴とする、（７）に記載の化粧料。
（９）抗炎症作用を有する旨と医薬部外品である旨とを表示してあることを特徴とする、（８）に記載の化粧料。
（１０）ベンチュリー構造を有するバルブハウジングを有する、エアゾル容器の内容物の吐出用バルブにおいて、該ベンチュリー構造の一部を遮蔽することを特徴とする、前記内容物の吐出量の調製方法。
（１１）（１０）に記載の調製方法のための、前記ベンチュリー構造の一部を遮蔽するための遮蔽体。
（１２）リング状の構造であることを特徴とする、（１１）に記載の遮蔽体。
【手続補正３】
【補正対象書類名】明細書
【補正対象項目名】０００９
【補正方法】変更
【補正の内容】
【０００９】
（１）本発明のエアゾル容器用のバルブ及びエアゾル容器
本発明のエアゾル容器は、バルブ部分に吐出量の制御可能な構造を有することを特徴とする。即ち、かかるバルブ部分は、噴口、該噴口に対して軸方向に穿設された軸方向孔、周溝、及び該周溝内に、軸方向孔に連通し、軸方向に対して横方向に穿設されたステムオリフィスを有するバルブステムと、該バルブステムを前記噴口側に弾性的に付勢するスプリングを内装し、該バルブステムを軸方向に沿って摺動可能に案内し、更に軸方向に対して横部にベンチュリー構造を有するバルブハウジングと、外周縁部が該バルブハウジングの前記噴口側の面に固定されかつ内周縁部が前記周溝内に嵌入して前記ステムオリフィスの開閉を制御する環状のステムラバーとを有し、前記スプリングによって付勢されている前記バルブステムが、前記スプリングの付勢方向と反対方向に摺動した時に、前記ステムオリフィスが、前記軸方向孔と前記バルブハウジングの内部を連通する、エアゾル容器用のバルブにおいて、前記ベンチュリー構造の一部を遮蔽すべき、位置設定の変更可能な遮蔽体を前記バルブハウジングの外周に配したことを特徴とする。噴口は、吐出物の吐出形態に合わせて、既存のものを選択することが出来る。特に、本発明のエアゾル化粧料に特徴的な、高粘度の組成物や半固形の組成物を吐出させるためには、口径の広いものが好ましく、０．５〜１ｍｍφの噴口が好ましく例示できる。この様な噴口の材料としては、ステンレスやアルミニウムなどの金属や、ポリエチレン、ポリプロピレン、アクリル樹脂などのプラスチックなどの何れもが使用可能である。かかる噴口は、軸方向に穿設された軸
方向孔と接続されている。噴口は、容器の目金板を貫通するように装着することができる。かかる軸方向孔は、ポリエチレン、ポリプロピレン、ナイロン、ポリエステルなどの多少の可塑性を有する材料で作成することが好ましい。これは、噴口と滑らかに密着するためである。ステムオリフィスはバルブステムの周溝内に、軸方向に対して横部に穿孔されており、通常は下記ステムラバーによって遮蔽されており、使用時にスプリングの付勢方向と反対方向にバルブステムを押し込むことにより、バルブハウジングの内部を通じて容器内部と連結し、容器内部より、軸方向孔及び噴口を通じて、内容物を吐出する。かかるバルブステムは、通常の状態ではその下部に配された弾性体のスプリングによって噴口側に押し上げられており、この押し上げられた状態に於いては、ステムラバーによってステムオリフィスが閉鎖されており、内容物は吐出しない。ステムラバーは、外周縁部が下記のバルブハウジングの噴口側の面に固定され、内周縁部が前記バルブステムの周溝内に嵌入している。かかるステムラバーの材質は、ゴム、シリコーンゴムなどの弾性材料を用いることが好ましい。ステムラバーの一部は、容器の目金板に固定することができる。バルブハウジングは、前記バルブステムを噴口側に弾性的に付勢するスプリングを内装し、軸方向に対して横部にベンチュリー構造が設けられている。ベンチュリー構造としては、内容物の粘度乃至は硬度が最も高いものが吐出するのに適切なように設けることが好ましく、その個数は１〜６個程度設けることが好ましい。形状としては、後記に示す遮蔽体によって一部が遮蔽され、遮蔽される面積によって、内容物の硬度、粘度に対応するため、縦長にして、遮蔽部分の面積の可変性が高い形状が好ましい。例えば、長方形、楕円形などの形状が好ましく例示できる。かかるバルブハウジングの材質としては、ポリエチレン、ポリプロピレン、ナイロン、ポリエステルなどの多少の可塑性を有する材料で作成することが好ましい。かかるバルブハウジングの外周には位置の変更可能な遮蔽体を配する。該遮蔽体は、前記ベンチュリー構造の一部を遮蔽し、その遮蔽の程度によって、内容物の適正な吐出に要するベンチュリー構造の面積を調整する。この様な調整は、遮蔽体を上下に摺動することによって行われる。かかる遮蔽体の位置の保持は遮蔽体自身及び／又はバルブハウジングの弾性構造による密着や、予めバルブハウジングと遮蔽体に設けられたネジ構造のかみ合わせによって為されることが好ましい。バルブハウジングは、容器の目金板に固定することができる。本発明のエアゾル容器用のバルブを装着したエアゾル容器は、高粘度、高硬度の内容物に適したものであり、内容物のバルブハウジング内部への移動は、通常のようにバルブハウジングの下部に設けられたディープ・チューブによらず、前記ベンチュリー構造によることが好ましい。これはディープ・チューブでは抵抗がかかりすぎてしまい、吐出性能が妨げられるためである。前記遮蔽体の材質としては、弾性構造による密着を利用する場合には、弾性を有するものが好ましく、ゴム、シリコーンゴム、ポリエチレンなどが好ましく例示できる。又、ネジ構造により位置を保持する場合には、かかる弾性を有する材料以外に、ステンレス、アルミニウムなどの金属やポリプロピレン、ポリテトラフルオロエチレンなどの弾性の少ない材料も使用することが出来る。又、かかる遮蔽体の形状は、バルブハウジングと接する部分が密着できる構造であり、ベンチュリー構造の面積を調整できる接触面積を有するものであれば、その他の形状については特に限定されない。かかる本発明のエアゾル容器用のバルブを装着したエアゾル容器は、高粘度、高硬度の内容物を充填すべきものであるが、その使用態様において、倒立使用を必須の使用条件とすることが出来れば、低粘度内容物、液状内容物様にも使用することが出来る。
【手続補正４】
【補正対象書類名】明細書
【補正対象項目名】００１１
【補正方法】変更
【補正の内容】
【００１１】
内袋の外側を覆う容器は、通常のエアゾール容器に準じれば良く、アルミニウム、ステンレスなどの金属缶が好ましく例示できる。吐出ノズルは通常泡沫エアゾールの吐出に使
用されているものであれば特段の限定無く使用することが出来る。